(57)【要約】【課題】ドリッパー内のコーヒー粉に湯を均等に注いで美味しいコーヒーを淹れることができるコーヒーメーカーを提供する。【解決手段】ケース本体２と、このケース本体２に設けられるミル１７と、このミル１７の落下口３２の下方に配置されるドリッパー８と、このドリッパー８に湯を供給するための湯供給部１８とを有して構成されるコーヒーメーカー１において、落下口３２がドリッパー８の中央部の上方に位置し、湯供給部１８が、落下口３２を中心に回動可能に設けられる環状のノズル本体５１と、このノズル本体５１の下部に設けられる湯の吐出口５２とを有すると共に、前記ノズル本体５１を回動させるためのモーターを有する。【選択図】図１
2020058404.tif 000002
【特許請求の範囲】
【請求項１】
本体と、この本体に設けられるミルと、このミルの排出口の下方に配置される抽出具と、この抽出具に湯を供給するためのノズル体とを有して構成されるコーヒーメーカーにおいて、
前記排出口が前記抽出具の中央部の上方に位置し、前記ノズル体が、前記排出口を中心に回動可能に設けられる環状のノズル本体と、このノズル本体の下部に設けられる吐出口とを有すると共に、前記ノズル本体を回動させるための電動機を有することを特徴とするコーヒーメーカー。
【請求項２】
前記吐出口が回動中心の方向に傾斜することを特徴とする請求項１記載のコーヒーメーカー。
【請求項３】
前記本体に対し着脱可能なガイド環を有し、このガイド環により前記ノズル本体が前記本体に装着されると共に、前記ガイド環に案内されて前記ノズル本体が回動するように構成されることを特徴とする請求項１記載のコーヒーメーカー。
【請求項４】
前記排出口の下方にコーヒー粉の分散手段が設けられることを特徴とする請求項１記載のコーヒーメーカー。
【請求項５】
前記分散手段が前記ノズル本体の下部に設けられて、このノズル本体と共に回動可能に構成されることを特徴とする請求項４記載のコーヒーメーカー。
【発明の詳細な説明】
【技術分野】
【０００１】
本発明は、ミルを有するドリップ式のコーヒーメーカーに関するものである。
【背景技術】
【０００２】
従来、この種のコーヒーメーカーとしては、外装ケース（本願発明の本体に相当する）内に粉砕部（本願発明のミルに相当する）が設けられ、この粉砕部のコーヒー粉排出口の下方に抽出部（本願発明の抽出具に相当する）が設けられると共に、この抽出部に湯を注ぐ出湯口（本願発明のノズル体）が前記粉砕部のコーヒー粉排出口に隣接して設けられるコーヒーメーカーが知られている（例えば、特許文献１参照）。また、本体内にミル部（本願発明のミルに相当する）が設けられ、このミル部の通路部（本願発明のコーヒー粉排出口に相当する）の下方に抽出部（本願発明の抽出具に相当する）が設けられると共に、湯が前記通路部を通って前記抽出部に注がれるコーヒーメーカーも知られている（例えば、特許文献２参照）。
【先行技術文献】
【特許文献】
【０００３】
【特許文献１】特開２００９−１２５２５２号公報
【特許文献２】特開２０１６−２１４４３７号公報
【発明の概要】
【発明が解決しようとする課題】
【０００４】
ところで、ハンドドリップによってコーヒーを美味しく淹れるために、幾つかの方法が提案されている。何れの淹れ方でも、共通して、抽出具内のコーヒー粉に湯を均等に掛けるように、また、抽出具内のコーヒー粉が平らになるようにされる。これらの条件をコーヒーメーカーで再現することができれば、美味しいコーヒーを淹れることができると期待される。
【０００５】
しかしながら、前者のようなコーヒーメーカーでは、出湯口がコーヒー粉排出口の隣に設けられるため、抽出部内の偏った位置に湯が注がれることになり、この結果、コーヒーを良好に入れることが難しいという問題があった。また、コーヒー粉が抽出部内で山状になることで、コーヒーを良好に淹れることが難しいという問題もあった。一方、後者のようなコーヒーメーカーでは、通路部の形状を工夫することで抽出部の中央に湯を注ぐことが可能ではあるが、コーヒー粉が抽出部内で山状になるばかりでなく、コーヒー粉が抽出部内で偏った貯まり方をすることで、コーヒーを良好に入れることが難しいという問題があった。
【０００６】
本発明は以上の問題点を解決し、抽出具内のコーヒー粉に湯を均等に注いで美味しいコーヒーを淹れることができるコーヒーメーカーを提供することを目的とする。
【課題を解決するための手段】
【０００７】
本発明の請求項１に記載のコーヒーメーカーは、本体と、この本体に設けられるミルと、このミルの排出口の下方に配置される抽出具と、この抽出具に湯を供給するためのノズル体とを有して構成されるコーヒーメーカーにおいて、前記排出口が前記抽出具の中央部の上方に位置し、前記ノズル体が、前記排出口を中心に回動可能に設けられる環状のノズル本体と、このノズル本体の下部に設けられる吐出口とを有すると共に、前記ノズル本体を回動させるための電動機を有するものである。
【０００８】
また、本発明の請求項２に記載のコーヒーメーカーは、請求項１において、前記吐出口が回動中心の方向に傾斜するものである。
【０００９】
また、本発明の請求項３に記載のコーヒーメーカーは、請求項１において、前記本体に対し着脱可能なガイド環を有し、このガイド環により前記ノズル本体が前記本体に装着されると共に、前記ガイド環に案内されて前記ノズル本体が回動するように構成されるものである。
【００１０】
また、本発明の請求項４に記載のコーヒーメーカーは、請求項１において、前記排出口の下方にコーヒー粉の分散手段が設けられるものである。
【００１１】
更に、本発明の請求項５に記載のコーヒーメーカーは、請求項４において、前記分散手段が前記ノズル本体の下部に設けられて、このノズル本体と共に回動可能に構成されるものである。
【発明の効果】
【００１２】
本発明の請求項１に記載のコーヒーメーカーは、以上のように構成することにより、吐出口から吐出された湯が前記抽出具内で均等に回し掛けされることで、コーヒーが良好に抽出され、美味しいコーヒーを淹れることができる。
【００１３】
なお、前記吐出口が回動中心の方向に傾斜することにより、前記ミルが設けられたコーヒーメーカーであっても、前記抽出具の中央部に湯を回し掛けすることで、コーヒーをより良好に抽出して美味しいコーヒーを淹れることができる。
【００１４】
また、前記本体に対し着脱可能なガイド環を有し、このガイド環により前記ノズル本体が前記本体に装着されると共に、前記ガイド環に案内されて前記ノズル本体が回動することにより、前記ノズル本体を簡単に外して手入れすることができるばかりでなく、前記ノズル本体を容易にガイドすることができる。
【００１５】
また、前記排出口の下方にコーヒー粉の分散手段が設けられることにより、コーヒー粉が前記ドリッパー内で山状にならないように均等に貯められ、これにより、コーヒーをより良好に抽出して美味しいコーヒーを淹れることができる。
【００１６】
更に、前記分散手段が前記ノズル本体の下部に設けられて、このノズル本体と共に回動可能に構成されることにより、コーヒーをより良好に抽出して美味しいコーヒーを淹れることができる。
【図面の簡単な説明】
【００１７】
【図１】本発明の実施例１を示すコーヒーメーカーの縦断面図である。
【図２】同上、ノズル本体周りの断面図である。
【図３】同上、ノズル本体周りの側面図である。
【図４】同上、コーヒーメーカー斜視図である。
【図５】同上、右側面図である。
【図６】同上、一部を切り欠いた正面図である。
【図７】同上、上側から見たノズル体周りの斜視図である。
【図８】同上、下側から見たノズル体周りの斜視図である。
【図９】同上、要部の縦断面図である。
【図１０】同上、下から見たガイド環の斜視図である。
【図１１】同上、ノズル本体の要部の拡大図である。
【発明を実施するための形態】
【００１８】
以下、本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００１９】
以下、本発明の実施例１について、図１〜図１１に基づいて説明する。１は、電動ミル付きのコーヒーメーカーである。このコーヒーメーカー１の本体たるケース本体２は、後側の立設部３と、この立設部３の下部と一体的に設けられた基部４と、前記立設部３の上部と一体的に設けられた前側の庇部５とを備える。そして、これら立設部３と基部４と庇部５は、それぞれ合成樹脂からなる。また、前記基部４の前部は、載置部４Ａとなる。そして、前記立設部３には、貯水部６が設けられる。
【００２０】
前記貯水部６の底部には、図１に示すように、前記貯水部６内の水を加熱する加熱手段７が設けられる。また、前記ケース本体２には、前記加熱手段７により加熱して得られた湯を、抽出具としてのドリッパー８に送る送湯手段９が設けられる。なお、この送湯手段９としては、ポンプ等が例示される。
【００２１】
また、前記ドリッパー８は、前記庇部５の下方に配置される。そして、前記ドリッパー８内には、抽出具としてのペーパーフィルター１０が交換可能に配置される。
【００２２】
前記載置部４Ａは、上方が開口すると共に、この開口を塞ぐように、略平面状の加熱板１１が設けられる。そして、この加熱板１１の下面には、ヒーター１２が熱的に接して設けられる。
【００２３】
前記加熱板１１上には、飲料サーバー１３が着脱可能に載置される。この飲料サーバー１３は、上方が開口した耐熱ガラス製の容器本体１４と、この容器本体１４の側板に取り付けられた合成樹脂製の把持部１５と、前記容器本体１４の上部開口を覆う合成樹脂製の蓋体１６とを備える。
【００２４】
前記立設部３の前方には、前記載置部４Ａの飲料サーバー１３の上方に、上からミル１７と、ノズル体たる湯供給部１８と、抽出具たる前記ドリッパー８と、前記飲料サーバー１３とが配置される。また、前記ミル１７は、前記ケース本体２の取付凹部１９に対して着脱可能に取り付けられる。なお、前記取付凹部１９は前記庇部５の上面前側に形成される。更に、前記湯供給部１８は、前記庇部５の下部側に位置する。
【００２５】
前記ケース本体２には、導電材料からなる接触部材たる導電レバー２１が設けられる。そして、前記ドリッパー８は、導電材料、好ましくは導電性合成樹脂から構成される。前記ドリッパー８は、図１に示すように、前記ミル１７からコーヒー粉が供給される位置で前記導電レバー２１に接触する。一方、前記ケース本体２には、電荷を一時的に貯める貯電部材たる導電材料製の底板２２が設けられる。この例では、前記底板２２はステンレス板により構成される。そして、この底板２２は、導線２３を介して前記導電レバー２１と電気的に接続される。なお、前記底板２２は平板状をなし、前記ケース本体２の外面に露出する。
【００２６】
また、ステンレス製の前記底板２２は、前記ケース本体２を構成する合成樹脂より比重が大きいので、錘になる。このため、前記コーヒーメーカー１を安定して設置することができる。
【００２７】
前記底板２２は、図１に示すように、ケース本体２の底面を構成する。そして、前記底板２２と前記導電レバー２１とは、前述したとおり、前記導線２３により電気的に接続される。
【００２８】
前記ミル１７は、コーヒー豆を粉砕するものである。そして、前記ミル１７は、上部に投入口２４を有するホッパー２５を備えると共に、前記投入口２４を開閉するミル蓋体２６を備える。また、前記ホッパー２５にはコーヒー豆が投入され、このコーヒー豆は、シューター部２７に送られる。このシューター部２７に送られたコーヒー豆は、ミルモーター３５により回転させられるミルスクリュー２９により回転刃３０と固定刃３１との間に向けて送られる。更に、コーヒー豆は、前記回転刃３０と固定刃３１との間で挽かれて、前記コーヒー粉（挽き豆）となる。なお、本実施例のミル１７は、金属製円板からなる前記回転刃３０と固定刃３１を用いる臼歯式であるが、ブレードが回転してコーヒー豆を挽くタイプのミルであっても良い。
【００２９】
また、前記ミル１７の下部には落下口３２が一体に設けられ、この落下口３２から前記コーヒー粉が前記ドリッパー８内に落下供給される。なお、前記落下口３２は円筒状である。
【００３０】
前記ミルモーター３５は、前記ケース本体２に内蔵される。前記ミルモーター３５により回転駆動するミル駆動ギア３６は、前記取付凹部１９に臨んで設けられると共に、前記駆動ギアに噛合するミル従動ギア３７がミル１７に設けられる。そして、前記ミル１７を前記取付凹部１９に着脱することにより、前記ミル駆動ギア３６とミル従動ギア３７の噛合と噛合解除とが行われる。
【００３１】
また、前記ミル１７には、前記コーヒー粉の粉砕度合（粒度）を調整する粒度調整手段３８が設けられ、操作部である回転式のダイヤル３９を有する。前記粒度調整手段３８は、前記回転刃３０の前面と固定刃３１の後面との間隔を調整することにより、コーヒー粉の粉砕度合を調整するものである。そして、前記ダイヤル３９を回転させることにより、前記回転刃３０の前面と固定刃３１の後面との間隔を調整することができる。
【００３２】
前記載置部４Ａの前部には、斜めの前面部４１が設けられる。この前面部４１には、前記コーヒーメーカー１を使用する際に操作されるスイッチ４２が複数配置される。また、図４などに示すように、前記載置部４Ａの右側面には、電源のオン・オフを操作する電源スイッチ４３が配置され、家庭用電源によりコーヒーメーカー１が駆動する。
【００３３】
前記落下口３２が前記ドリッパー８の中央部の上方に位置する。また、ノズル体たる前記湯供給部１８は、前記落下口３２を中心に回動可能に設けられる環状のノズル本体５１と、このノズル本体５１の下部に設けられる吐出口５２とを有すると共に、前記ノズル本体５１を回動させるための電動機たるモーター５３を有する。
【００３４】
図２，図７及び図８などに示すように、前記ケース本体２には、前記湯供給部１８を取り付けるための合成樹脂製の取付ベース５４が設けられる。この取付ベース５４は、本体の一部を構成する。そして、この取付ベース５４に、前記ノズル本体５１が着脱可能で且つ回動可能に設けられる。
【００３５】
前記取付ベース５４の底板は、前記ノズル本体５１を着脱可能に取り付ける板状で大径な主底板５５と、板状で小径な副底板５６とを一体に備える。これら一体の主底板５５と副底板５６の周囲には周壁部５７が設けられる。そして、前記副底板５６上には駆動ギア５８が配置される。また、前記主底板５５には、前記ノズル本体５１を装着する円形の装着孔５９が開口する。なお、前記取付ベース５４は、前記周壁部５７の上縁が前記庇部底板５Ｋに当接した状態で、該庇部底板５Ｋに固定される。
【００３６】
前記ノズル本体５１は、図２等に示すように、一側が他側より僅かに低くなるように斜設された円環状の底板部６１と、この底板部６１の周囲から上方に突設された下周壁部６２と、この下周壁部６２の上縁に周設された挿入鍔部６３と、この挿入鍔部６３の上面から上方に突設され前記下周壁部６２に比べて径大な上周壁部６４と、これら下周壁部６２と上周壁部６４との間に設けられた段部６５と、前記上周壁部６４の外面と前記挿入鍔部６３の外面に一体に設けられた複数の歯部６６から構成された従動ギア６７とを備える。なお、この従動ギア６７の回転中心は縦方向をなす。
【００３７】
前記挿入鍔部６３は、後述するガイド環７５を介して前記装着孔５９に回動可能に支持される。これによって、前記ノズル本体５１は、前記ミル１７の前記落下口３２を中心として回動する。また、前記底板部６１の中心には、前記落下口３２に対応して、透孔６８が穿設され、この透孔６８には中央筒部６９が突設される。そして、前記ノズル本体５１内には、湯が供給される湯受け空間７０が設けられる。なお、湯受け空間７０には、前記中央筒部６９の上端まで湯を入れることができる。また、図１において、符号Ｓは、前記ドリッパー８，前記落下口３２の中心であり、その中心Ｓは前記ノズル本体５１の回動中心でもある。
【００３８】
図８などに示すように、前記ノズル本体５１の前記底板部６１には、複数のノズル７１，７１Ａ，７１Ｂが一体に形成される。これらノズル７１，７１Ａ，７１Ｂには、それぞれ前記吐出口５２が設けられる。これらの吐出口５２は、前記ノズル本体５１の回動中心Ｓに向けて斜設される。
【００３９】
この例では、３個のノズル７１，７１Ａ，７１Ｂが、前記底板部６１に、中心Ｓを中心とした周方向に等間隔で近接して配置され、更に、３個のノズル７１，７１Ａ，７１Ｂが前記底板部６１の径方向にずらして配置される。即ち、３個のノズル７１，７１Ａ，７１Ｂは前記中心Ｓから異なる位置にある。具体的には、周方向に隣り合うノズル７１，７１Ａは、周方向一方側のノズル７１が周方向他方側のノズル７１Ａよりも中心Ｓから離れた位置にある。同様に、周方向に隣り合うノズル７１Ａ，７１Ｂは、周方向一方側のノズル７１Ａが周方向他方側のノズル７１Ｂよりも中心Ｓから離れた位置にある。なお、複数の７１，７１Ａ，７１Ｂは、ノズル本体５１の中心Ｓに対して、９０°以内の範囲に配置される。
【００４０】
また、前記各ノズル７１，７１Ａ，７１Ｂは、図２及び図８等に示すように、前記底板部６１の一側に配置される。従って、前記ノズル本体５１の前記湯受け空間７０に湯を供給すると、その湯が少量になっても、前記底板部６１の傾斜により前記各ノズル７１，７１Ａ，７１Ｂへと湯が集まる。なお、複数のノズル７１，７１Ａ，７１Ｂの吐出口５２，５２，５２は、前記回動中心Ｓに対して、同じ角度をなして斜設される。
【００４１】
従って、後述するように、前記ノズル本体５１が回転している状態で、複数の前記ノズル７１，７１Ａ，７１Ｂから吐き出された湯は、前記ドリッパー８の中心から異なる位置に落下する。即ち、複数の前記ノズル７１，７１Ａ，７１Ｂから吐き出された湯は、前記回動中心Ｓを中心とした同心円を描く。従って、前記ドリッパー８に均一に湯を供給することができる。
【００４２】
図１等に示すように、前記ノズル本体５１は前記庇部５の庇部底板５Ｋの下部に配置され、前記取付ベース５４は前記庇部底板５Ｋの下面に固定される。なお、上述したように、前記取付ベース５４の周壁部５７が前記庇部底板５Ｋの下面に当接した状態で前記取付ベース５４が前記ケース本体２に取り付けられており、図２に示すように、前記周壁部５７に比べて、前記ノズル本体５１の上周壁部６４は僅かに低く形成される。このため、前記ノズル本体５１の回転時に、その上周壁部６４が前記庇部底板５Ｋに接触することはない。一方、取付状態で、前記ノズル本体５１の高さ位置は、前記庇部底板５Ｋの下面により規定される。
【００４３】
また、図９に示すように、前記庇部底板５Ｋには、送液供給部たる湯供給筒部７４が一体に設けられる。この湯供給筒部７４は前記庇部底板５Ｋを貫通し、その下端７４Ｋが前記湯受け空間７０の上方に位置する。更に、前記湯供給筒部７４の上端と前記送湯手段９とが送液路（図示せず）により接続され、前記湯供給筒部７４に、前記送湯手段９から前記送液路を通して湯が送られる。このように、前記湯供給筒部７４は前記送液路の一部を構成する。
【００４４】
前記本体の一部を構成する前記取付ベース５４は、これに対し着脱可能なガイド環７５を備える。このガイド環７５により、前記ノズル本体５１が前記取付ベース５４に装着されると共に、前記ガイド環７５に案内されて前記ノズル本体５１が前記取付ベース５４に対し回動可能に取り付けられる。
【００４５】
前記ガイド環７５は、板状の環本体７６と、この環本体７６の内端から上方に突出した周壁部７７とを一体に有し、断面略Ｌ字形をなす。また、前記周壁部７７は、その上端を湾曲状に形成した湾曲上端部７７Ｗを有する。この湾曲上端部７７Ｗにより、前記挿入鍔部６３の下面が線接触状態で支持される。そして、前記ノズル本体５１の回転時に、前記湾曲上端部７７Ｗと前記挿入鍔部６３とが摺動すると共に、前記周壁部７７の摺動受部たる内周面７７Ｎに、前記ノズル本体５１の前記下周壁部６２の外面が部分的に摺動する。そして、前記環本体７６が前記装着孔５９内に嵌った状態で、前記ガイド環７５が前記取付ベース５４に取り付けられる。
【００４６】
図１０に示すように、前記ガイド環７５には、複数（４個）の係止突片７８が外方に突出される。この係止突片７８を挿通する挿通溝７９が、前記取付ベース５４の前記装着孔５９の縁に凹設される。そして、図９に示すように、前記装着孔５９の縁の周囲における前記主底板５５の上面に、前記係止突片７８の下面が係止する。このように、複数の係止突片７８を備えた前記ガイド環７５と前記装着孔５９により、前記ノズル本体５１を前記取付ベース５４に着脱自在に取り付ける回動式の取付手段が構成される。
【００４７】
図２及び図８に示すように、前記主底板５５の前側の下面には操作用凹部８１が形成される。また、前記ガイド環７５には、操作部たる操作レバー８２が一体に設けられる。そして、前記ガイド環７５を前記取付ベース５４に取り付けた状態で、前記操作レバー８２は、前記操作用凹部８１に配置される。また、この操作用凹部８１の周方向中央には、係止用の突起８３が下向きに突設される。即ち、前記操作用凹部８１において、前記操作レバー８２が前記突起８３の一方側にある状態が係止状態であり、前記突起８３の他方側にある状態が係止解除状態である。なお、係止解除状態では、前記ガイド環７５が前記取付ベース５４から取り外される。
【００４８】
従って、前記装着孔５９内に前記ノズル本体５１を配置すると共に、前記駆動ギア５８に従動ギア６７を歯合した状態で、前記挿通溝７９に前記係止突片７８を合わせ、前記ガイド環７５を前記ノズル本体５１の前記下周壁部６２に外嵌するように嵌め入れると、前記係止突片７８が前記挿通溝７９に挿通し、前記操作レバー８２が係止解除位置に嵌る。ここから前記突起８３を乗り越えるようにして前記操作レバー８２を一方側に回すと、前記係止突片７８が前記主底板５５の上面に係止する。これにより、前記ノズル本体５１が前記ケース本体２及び取付ベース５４からなる本体に固定状態で取り付けられる。
【００４９】
一方、前記ガイド環７５を取り外す場合は、前記突起８３の高さ分だけ前記操作レバー８２を僅かに押し下げ、前記ガイド環７５を他方側に回すことにより、前記係止突片７８が前記挿通溝７９に位置合わせされ、前記ガイド環７５をケース本体２から取り外すことができる。このように前記突起８３があるため、不用意に前記ガイド環７５が前記取付ベース５４から外れることがない。また、前記ガイド環７５を取り外した後、前記ノズル本体５１を取り外し、洗浄などを行うことができる。
【００５０】
前記駆動ギア５８は、前記副底板５６上に配置され、前記ノズル本体５１の前記従動ギア６７に歯合する。前記駆動ギア５８の回転軸５８Ａに前記モーター５３が接続され、このモーター５３が前記ケース本体２に固定される。この場合、前記モーター５３は前記庇部底板５Ｋの上面に固定され、前記回転軸５８Ａは前記庇部底板５Ｋに挿通される。
【００５１】
図９に示すように、前記庇部底板５Ｋの上面には複数のボス部８５が設けられ、このボス部８５に方形の接続筒取付体８６が固定される。そして、この接続筒取付体８６には、接続筒８７が一体に設けられる。また、この接続筒８７には、前記ミル１７の前記落下口３２が着脱可能に挿入接続される。そして、前記ミル１７を前記取付凹部１９に取り付けることにより、前記接続筒８７内に前記落下口３２が挿入接続される。
【００５２】
また、前記接続筒８７の下方には、この接続筒８７の下端を開閉するシャッター９１が設けられる。このシャッター９１は板片状をなし、前記庇部底板５Ｋの上面に沿って水平方向に進退して前記落下口３２を開閉する。このために、前記シャッター９１には前記接続筒８７に連通する透孔９１Ｔが穿設される。また、図９に示すように、前記庇部底板５Ｋの上面には前記シャッター９１を案内する案内枠部９２が設けられる。
【００５３】
前記ケース本体２は、前記シャッター９１を駆動するためのシャッター駆動手段９３を備える。このシャッター駆動手段９３は、図３及び図７に示すように、前記シャッター９１の端部に一体に設けられたカムフォロア９４と、モーター９５と、円柱状の回転体９６と、カムとしての偏心軸体９７とを有して構成される。前記カムフォロア９４は、前記シャッター９１の進退方向と直交する方向に長い長孔形状の枠体からなる。なお、前記シャッター９１は、前記コーヒーメーカー１の左斜め前から右斜め後に進退する。
【００５４】
前記モーター９５は、前記カムフォロア９４の上方に設けられる。前記モーター９５は、減速機を内蔵したものであり、その駆動軸９５Jが下向きとなるように縦設される。そして、前記駆動軸９５Jに、前記回転体９６が設けられる。更に、この回転体９６の下部に、前記偏心軸体９７が一体に設けられる。この偏心軸体９７は、前記回転体９６の回動中心からずれて配置されると共に、前記カムフォロア９４内に配置される。
【００５５】
そして、図３及び図７は、前記シャッター９１が前進して前記接続筒８７と前記シャッター９１の透孔９１Ｔが連通することで、前記接続筒８７が開成された状態であり、前記偏心軸体９７が左斜め前側にある。ここから前記モーター９５が駆動して前記偏心軸体９７が１８０°回転すると、前記偏心軸体９７が右斜め後側に後退する。これに伴い、前記カムフォロア９４と一体のシャッター９１が後退して前記接続筒８７と前記シャッター９１の透孔９１Ｔとの位置がずれ、前記接続筒８７が閉成する。
【００５６】
また、前記シャッター駆動手段９３は、前記シャッター９１の前進位置と後退位置を検出する検出手段を備える。この検出手段は、一対のスイッチ９８，９８と、スイッチ作動部たる一対の作動凹部９９，９９とを備える。一対の前記作動凹部９９，９９は、一対の前記スイッチ９８，９８に対応して、前記回転体９６の側面に設けられる。また、一対の前記作動凹部９９，９９は、前記シャッター９１が前進位置にあるとき、一方の前記スイッチ９８の作動子９８Ｓがオンで他方の前記スイッチ９８の作動子９８Ｓがオフになり、且つ、前記シャッター９１が後退位置にあるとき、一方の前記スイッチ９８の作動子９８Ｓがオフで他方の前記スイッチ９８の作動子９８Ｓがオンになるように設けられる。このように、どちらのスイッチ９８，９８の作動子９８Ｓ，９８Ｓがオフになるかによって、前記シャッター９１が前進位置にあるか後退位置にあるかを検出する。
【００５７】
詳述すると、前記シャッター９１が前記落下口３２を開成した前進位置で、前記モーター９５が駆動されると、オフになっていた他方の前記スイッチ９８がオンになる。なお、オンになっていた一方の前記スイッチ９８はオンのままである。そして、前記シャッター９１が後退位置に来ると、オンになっていた一方の前記スイッチ９８がオフになる。これにより、前記シャッター９１により前記落下口３２が閉成されたことが検知され、前記モーター９５が停止する。一方、前記シャッター９１が前記落下口３２を閉成した後退位置で、前記モーター９５が駆動されると、オフになっていた一方の前記スイッチ９８がオンになる。なお、オンになっていた他方の前記スイッチ９８はオンのままである。そして、前記シャッター９１が前進位置に来ると、オンになっていた他方の前記スイッチ９８がオフになる。これにより、前記シャッター９１により前記落下口３２が開成されたことが検知され、前記モーター９５が停止する。
【００５８】
排出口たる前記落下口３２の下方には、コーヒー粉の分散手段１０１が設けられる。なお、図１，図２，図５及び図６では前記分散手段１０１を図示省略している。図３及び図８に示すように、前記分散手段１０１は、前記落下口３２の下方に配置する板状の分散部１０２と、この分散部１０２を前記ノズル本体５１に固定する固定部１０３とを一体に有する。前記分散部１０２は、略楕円形をなし、先端側（ノズル本体５１の一側）が僅かに低くなるように斜設される。そして、前記分散部１０２には、前記落下口３２から落下するコーヒー粉が当たって分散する。
【００５９】
また、前記分散部１０２の基端側には、この分散部１０２の幅より狭い前記固定部１０３の横部１０３Ａが設けられる。そして、前記横部１０３Ａの後端と前記固定部１０３の縦部１０３Ｂにより、前記分散部１０２が前記ノズル本体５１の下面に固定される。このようにして、前記分散手段１０１は前記ノズル本体５１の下部に設けられる。
【００６０】
また、図１に示すように、装着状態の前記ドリッパー８と前記ノズル本体５１との間には、隙間１０５が設けられる。そして、この隙間１０５から、前記ドリッパー８内のコーヒー粉に湯が注がれて膨らむ様子を見せる演出効果が得られる。
【００６１】
図１に示すように、前記飲料サーバー１３の蓋体１６には、前記ドリッパー８の下部を装着する装着受け部１０６が設けられる。また、前記ドリッパー８の下部側には、前記蓋体１６の前記装着受け部１０６に装着する装着部１０７が設けられる。そして、前記蓋体１６の装着受け部１０６に、前記ドリッパー８の下部の装着部１０７を遊嵌することにより、前記飲料サーバー１３に前記ドリッパー８を安定して装着することができる。
【００６２】
また、前記容器本体１４の底板部１０８には、該容器本体１４より径小なリング状の段差部１０９が下方に膨出形成され、この段差部１０９が遊嵌するリング状の内縁枠１１０が、前記加熱板１１の上面に突出形成される。したがって、前記加熱板１１の上面に前記飲料サーバー１３を載置すると、前記内縁枠１１０内に前記段差部１０９が嵌り、前記飲料サーバー１３の水平位置が位置決めされる。
【００６３】
前記ドリッパー８は、導電材料たる導電性合成樹脂からなり、図１などに示すように、前後方向に細長く形成された底板部１１１と、この底板部１１１の周囲から上方に向かって略テーパー状に拡大形成された側板部１１２と、この側板部１１２の上縁前部に設けられた横方向の把持部１１３とを一体に備える。なお、前記把持部１１３は板片状をなす。
【００６４】
図４等に示すように、前記側板部１１２の内周には、複数のリブ部１１４が周方向に間隔をおいて突出形成される。このように、複数の前記リブ部１１４を縦設することにより、前記ペーパーフィルター１０の外周は、前記側板部１１２に密着することなく、複数の前記リブ部１１４に部分的に接触する。
【００６５】
図１に示すように、前記底板部１１１には、抽出されたコーヒー液が落下する複数の透孔１１５が穿設される。これら複数の透孔１１５は、前記蓋体１６にドリッパー８を装着した状態で、前記蓋体１６の中央開口部１６Ａに連通する。
【００６６】
前記透孔１１５の下端は、前記底板部１１１の下面から下方に突出した筒部１１６の内部に形成される。このように、前記筒部１１６を設けることにより、前記透孔１１５を落下するコーヒー液が前記底板部１１１の下面に回り込むことなく、前記筒部１１６の下端から下方へ落下する。
【００６７】
前記導電レバー２１は、金属製の線材を略Ｕ字形に屈曲して形成される。詳述すると、前記導電レバー２１は、縦方向の左右の腕部１２１，１２１の下端を湾曲状の横部１２２により連結し、それら左右の腕部１２１，１２１の縦方向中央に屈曲部１２３，１２３を設けて形成される。この結果、前記導電レバー２１は、正面視で略コ字形であり、側面視で略へ字状である。そして、図２に示す前記導電レバー２１の待機位置で、前記腕部１２１，１２１の上部が略垂直な縦方向になると共に、前記腕部１２１，１２１の下部が斜め前向きになるように構成される。
【００６８】
また、前記庇部５の庇部底板５Ｋの後側には、前記導電レバー２１が遊挿配置された開口部１２４が設けられる。この開口部１２４の近傍において、左右方向の枢軸部（図示せず）により、前記導電レバー２１が前記ケース本体２に揺動可能に枢着される。なお、前記開口部１２４には、前記腕部１２１，１２１の上部が挿通され、これらの腕部１２１，１２１の上端側が前記ケース本体２内に配置される。
【００６９】
そして、図１に示す前記ドリッパー８の装着状態では、このドリッパー８に押された前記導電レバー２１は、下部側が後方に移動するように回動し、前記横部１２２が前記ドリッパー８の側板部１１２の外面に当接する。一方、前記腕部１２１は前記ドリッパー８に当接しない。
【００７０】
そして、前記コーヒーメーカー１は、前記電源スイッチ４３がオンであっても、前記導電レバー２１が待機位置にある場合、前記ミル１７，サーバー加熱手段たる前記ヒーター１２及び前記送湯手段９が作動しないように制御される。一方、前記導電レバー２１がドリッパー装着位置にある場合、電気で駆動する装置の全てを駆動することができる。
【００７１】
前記導電レバー２１の上端には、固定手段たるビス（図示せず）により、前記導線２３の一端が連結される。また、前記導線２３の他端は、固定手段たるビス１３２とナット１３３により、前記底板２２の上面に連結される。このように、前記導線２３は、前記ケース本体２に内蔵される。また、前記底板２２は、前記ケース本体２の底面全体を構成するように広く形成される。そして、前記底板２２の前後左右には、合成樹脂製の脚部１３４が設けられる。なお、前記導線２３は、導電レバー２１を可動にする程度の可撓性を有する。
【００７２】
図２などに示すように、左右の前記腕部１２１，１２１の上部には、合成樹脂製のホルダー１３５が外嵌される。このホルダー１３５は、ビスにより前記腕部１２１，１２１に固定される。なお、前記導線２３は前記腕部１２１，１２１に電気的に接続される。
【００７３】
また、前記開口部１２４には、シリコンゴムやエラストマー樹脂等からなるシール部材１３６が設けられ、このシール部材１３６に前記左右の前記腕部１２１，１２１が挿通される。この結果、左右の前記腕部１２１，１２１に、水密状態で前記開口部１２４に挿通されると共に、前記シール部材１３６が弾性変形することにより揺動可能となる。
【００７４】
また、前記導電レバー２１を待機位置側に回動付勢する付勢手段たるコイルスプリング（図示せず）が設けられる。なお、前記ホルダー１３５がケース本体２側のストッパ（図示せず）に当接することにより、前記導電レバー２１のそれ以上の揺動が阻止されるので、前記導電レバー２１が待機位置に位置決めされる。
【００７５】
また、前記ケース本体２には、接触検知スイッチ１３９が設けられる。前記導電レバー２１が図２に示す待機位置にある場合、前記ホルダー１３５の検知部１３５Ａの凹部に前記接触検知スイッチ１３９の作動子１３９Ｓが当接して、前記スイッチ１３９がオフ状態となる。この結果、前記接触検知スイッチ１３９により、前記導電レバー２１が待機位置であることが検知される。一方、前記導電レバー２１が図１の実線に示す、前記ドリッパー８の装着位置にある場合、前記導電レバー２１が揺動し、前記作動子１３９Ｓが前記検知部１３５Ａの凸部に押されて、前記接触検知スイッチ１３９がオンになる。この結果、前記接触検知スイッチ１３９により、前記導電レバー２１が装着位置であることが検知される。このように、前記導電レバー２１は、前記ドリッパー８の有無、即ち、前記蓋体１６に前記ドリッパー８が装着された状態で、前記飲料サーバー１３が前記加熱板１１に載せられたか、を検知する検知手段を兼ねる。
【００７６】
上述したように、前記導電レバー２１は、待機位置と装着位置との間で揺動する。この際、前記シール部材１３６が変形することにより、前記開口部１２４における水密性が確保されるので、該開口部１２４からケース本体２の内部に湯気や埃が侵入することが防止される。
【００７７】
次に、前記コーヒーメーカー１の使用方法の一例について説明する。まず、使用者は、前記電源スイッチ４３をオンにする。次に、使用者は、前記ドリッパー８内に前記ペーパーフィルター１０をセットすると共に、前記ドリッパー８を飲料サーバー１３の蓋体１６に装着する。この場合、前記蓋体１６の装着受け部１０６に、前記ドリッパー８の下部の装着部１０７を遊嵌させることにより、前記飲料サーバー１３に前記ドリッパー８を安定して装着することができる。
【００７８】
そして、使用者は、前記ドリッパー８を装着した前記飲料サーバー１３を、前記庇部５の下方へ前側から後側に向かって水平に差し入れ、前記飲料サーバー１３を前記載置部４Ａの加熱板１１上に載置する。このように前記ドリッパー８を装着位置にセットすると、このドリッパー８に導電レバー２１が接触した後、この導電レバー２１が装着位置に揺動し、これを前記スイッチ１３９が検出する。この結果、前記ミル１７，前記ヒーター１２及び前記送湯手段９が作動可能な状態となる。
【００７９】
また、使用者は、前記ミル１７にコーヒー豆を投入する前に、前記ダイヤル３９を操作して好みの粒度に調整しておく。そして、前記貯水部６内に、抽出するコーヒー液の杯数に応じた量の水を入れる。更に、前記ミル１７のミル蓋体２６を外し、前記投入口２４から前記ホッパー２５内に所定量のコーヒー豆を入れる。なお、この段階では、前記シャッター９１が前記落下口３２を塞いだ状態であり、前記ミル１７とドリッパー８内とが連通していない。
【００８０】
そして、使用者が前記スイッチ４２を操作すると、以下の動作が順次行われる。まず、前記シャッター駆動手段９３が、前記落下口３２を開く方向に、前記シャッター９１を移動させる。これによって、前記落下口３２が開き、前記ミル１７が前記ドリッパー８内と連通する。次に、前記ミル１７が作動する。このミル１７を作動させるために、前記ミルモーター３５が回転駆動すると、前記シューター部２７内のコーヒー豆が、前記ミルスクリュー２９により前記回転刃３０と固定刃３１との間に向けて送られ、これらの回転刃３０と固定刃３１との間で挽かれてコーヒー粉（挽き豆）となる。そして、このコーヒー粉が、前記落下口３２から前記ドリッパー８にセットされた前記ペーパーフィルター１０内に落下供給される。
【００８１】
前記落下口３２からコーヒー粉が落下供給される前に、前記モーター５３が駆動し、前記ノズル本体５１が回転する。すると、回転する分散部１０２の上にコーヒー粉が落下し、分散部１０２の先端側及び周囲からコーヒー粉が分散して落下する。そして、前記ノズル本体５１が回転することで、前記分散手段１０１も回転するので、コーヒー粉が均等に分散して前記ペーパーフィルター１０内に貯められる。これによって、前記ペーパーフィルター１０の中心が高くなる山状にコーヒー粉が貯まることなく、凹凸が緩和された状態で貯まることになる。
【００８２】
また、前記ミル１７の作動と同時に、前記加熱手段７への通電を開始する。これによって、前記貯水部６内の水が加熱されて湯となる。次に、前記ミル１７がコーヒー豆を全て挽き終わったことを検知すると、このミル１７を停止させると共に、前記シャッター駆動手段９３により、前記落下口３２を閉じる方向に前記シャッター９１を移動させる。なお、前記ミルモーター３５に流れる電流を検知することで、コーヒー豆を挽き終わったか否かを判断することができる。また、前記モーター５３を停止させることで、前記ノズル本体５１の回転を停止させる。なお、この時点で、前記貯水部６内の水は未だ湯になっていない。
【００８３】
次に、前記貯水部６内の水が、コーヒー液の抽出に適した所定温度（８５〜９０℃）の湯になったことが、温度センサ（図示せず）により検知されると、前記加熱手段７へ供給する電力を停止させる。そして、前記送湯手段９が作動して前記ドリッパー８へ第一回目の給湯を行う。
【００８４】
前記送湯手段９が作動して前記ドリッパー８へ給湯を行う前に、前記モーター５３が再び駆動し、ノズル本体５１が一定速度で回転する。前記ノズル本体５１の回転中、前記貯水部６内の湯が、前記送湯手段９により前記送液路を介して前記湯供給筒部７４から前記湯供給部１８のノズル本体５１内の湯受け空間７０に供給される。この湯受け空間７０に供給された湯は、回転する前記ノズル本体５１に設けられた複数の前記ノズル７１，７１Ａ，７１Ｂの吐出口５２から斜め内側下方に向かって吐き出され、前記ドリッパー８内のコーヒー粉に均一に回し掛けされる。また、複数のノズル７１，７１Ａ，７１Ｂの吐出口５２，５２，５２が前記ノズル本体５１の径方向にずらして配置されているため、湯は、前記ドリッパー８内のコーヒー粉に対し同心円状に回し掛けされる。従って、前記ドリッパー８の中央部において、径方向にも均一に湯が供給される。そして、所定時間経過後、前記送湯手段９が停止して第一回目の送湯が終了する。同時に、前記モーター５３を停止させることで、前記ノズル本体５１の回転を停止させる。この第一回目の送湯により、前記ペーパーフィルター１０内のコーヒー粉は蒸らされる。
【００８５】
第一回目の送湯終了から所定蒸らし時間経過すると、蒸らし工程が終了する。そして、この蒸らし工程が終了した後、前記送湯手段９が作動して、前記ドリッパー８へ第二回目の送湯を行う。なお、前述した通り、前記貯水部６内の水の量が、抽出するコーヒー液の杯数に応じた量であるので、前記貯水部６内の全ての湯を前記ドリッパー８に供給すれば、所定の杯数のコーヒー液が得られることになると共に、前記貯水部６内が空になる。また、第二回目の送湯の際にも、前記ノズル本体５１が回転し、湯が前記吐出口５２から吐き出され、前記ドリッパー８内のコーヒー粉に対し同心円状に均一に回し掛けされる。なお、前記ノズル本体５１の回転速度は、５〜１０回転／分程度である。これにより、前記ドリッパー８にセットされたペーパーフィルター１０に貯められたコーヒー粉の中央部に湯を均等に注ぐことができるので、コーヒー液を良好に抽出して美味しいコーヒー液を得ることができる。なお、前記ドリッパー８において抽出されたコーヒー液は、前記ドリッパー８の透孔１１５と前記飲料サーバー１３の蓋体１６の中央開口部１６Ａを通過して、前記飲料サーバー１３内に貯められる。また、第二回目の送湯と同時に、前記ヒーター１２への通電を開始する。これによって、前記加熱板１１に載置された前記飲料サーバー１３及びこれに貯められたコーヒー液が保温される。なお、前記ヒーター１２への通電は、通電開始から所定時間（例えば３０分間）である。そして、前記貯水部６内の湯が全て前記ドリッパー８に送られて送湯が完了した後、前記モーター５３を停止させることで、前記ノズル本体５１は回転を停止する。
【００８６】
前記ミル１７の回転刃３０と固定刃３１とによりコーヒー豆を粉砕することで、前記コーヒー粉が帯電する。なお、前記コーヒー粉の粒子は、同じ極性に帯電する。即ち、コーヒー粉の粒子同士が電気的に反発した状態となる。この結果、前記コーヒー粉が前記落下口３２から落下する際、前記隙間１０５からドリッパー８の外側にこぼれ易くなる。
【００８７】
これに対して、装着位置の前記ドリッパー８に前記導電レバー２１が接しているため、前記ペーパーフィルター１０内に落下した前記コーヒー粉の電荷は、前記ペーパーフィルター１０から前記ドリッパー８と前記導電レバー２１と導線２３を経て底板２２に移動して、これに貯められる。なお、この底板２２に貯められた電荷は、徐々に外部に自然放電される。この結果、前記ペーパーフィルター１０内に貯められたコーヒー粉は、帯電していない状態となる。従って、前記落下口３２から落下してくる前記コーヒー粉は、前記ペーパーフィルター１０内に貯められたコーヒー粉によって反発されることがない。このため、前記コーヒー粉が前記ドリッパー８から漏れ難くすることができる。なお、前記ペーパーフィルター１０の材質である紙は、僅かに電気を通すことができるので、導電材料と見なすことができる。このため、前記コーヒー粉の電荷は、前記ペーパーフィルター１０から前記ドリッパー８を介して前記導電レバー２１に逃がすことができる。
【００８８】
なお、落下中のコーヒー粉の粒子同士は、未だ帯電しているため、広がりながら落下することになる。しかしながら、前述したとおり、落下中のコーヒー粉と前記ペーパーフィルター１０内に貯められたコーヒー粉は反発しない。即ち、落下中のコーヒー粉が広がる電気的な要素は、落下中のコーヒー粉自体の電荷のみである。従って、下方からの反発力がないため、落下中のコーヒー粉の広がりが抑えられる。このため、前記隙間１０５の距離が適正であれば、広がって落下するコーヒー粉を前記ペーパーフィルター１０で十分受けることができるので、前記コーヒー粉が前記ドリッパー８から漏れ難くすることができる。
【００８９】
一方、コーヒー豆が接触する前記回転刃３０と固定刃３１又はその周辺の部材は、コーヒー粉と逆の極性に帯電する。しかしながら、周囲の物体との間で電荷の授受が行われることで、長期的に、電気的中性に戻る。
【００９０】
以上のように本実施例は、本体たるケース本体２と、このケース本体２に設けられるミル１７と、このミル１７のコーヒー粉の排出口たる落下口３２の下方に配置される抽出具たるドリッパー８と、このドリッパー８に湯を供給するためのノズル体たる湯供給部１８とを有して構成されるコーヒーメーカー１において、前記落下口３２が前記ドリッパー８の中央部の上方に位置し、前記湯供給部１８が、前記落下口３２を中心に回動可能に設けられる環状のノズル本体５１と、このノズル本体５１の下部に設けられる吐出口５２とを有すると共に、前記ノズル本体５１を回動させるための電動機たるモーター５３を有するから、吐出口５２から吐出された湯が前記ドリッパー８内で均等に回し掛けされることで、コーヒーが良好に抽出され、美味しいコーヒーを淹れることができる。
【００９１】
また、湯が前記ドリッパー８の中央部に落下するよう、前記吐出口５２が回動中心Ｓの方向に傾斜するものであるから、前記ミル１７が設けられたコーヒーメーカー１であっても、前記ドリッパー８の中央部に湯を回し掛けすることで、コーヒーをより良好に抽出して美味しいコーヒーを淹れることができる。
【００９２】
また、前記本体たるケース本体２に対し着脱可能なガイド環７５を有し、このガイド環７５により前記ノズル本体５１が前記ケース本体２に装着されると共に、前記ガイド環７５に案内されて前記ノズル本体５１が回動するように構成されるものであるから、前記ノズル本体５１を簡単に外して手入れすることができるばかりでなく、前記ノズル本体５１を容易にガイドすることができる。
【００９３】
また、前記排出口たる落下口３２の下方にコーヒー粉の分散手段１０１が設けられるものであるから、コーヒー粉が前記ドリッパー８内で山状にならないように均等に貯められ、これにより、コーヒーをより良好に抽出して美味しいコーヒーを淹れることができる。
【００９４】
更に、前記分散手段１０１が前記ノズル本体５１の下部に設けられて、このノズル本体５１と共に回動可能に構成されるものであるから、このノズル本体５１と共に回動可能に構成されることにより、コーヒーをより良好に抽出して美味しいコーヒーを淹れることができる。
【００９５】
以下、実施例上の効果について説明する。前記ノズル本体５１の周壁部たる上周壁部６４の外周に複数の歯部６６を設けることにより、ノズル本体５１に従動ギア６７を一体に形成したから、構造簡易にして駆動ギア５８に歯合する従動ギア６７を設けることができる。また、前記ノズル本体５１は、中心Ｓを挟んだ一側が他側より僅かに低くなるように斜設された円環状の底板部６１を備え、一側に複数の吐出口５２が設けられ、特に、前記ノズル本体５１の中心に対して、９０°以内の範囲に配置されるから、前記ノズル本体５１の前記湯受け空間７０の湯量が少なくなっても、前記底板部６１の傾斜によりノズル７１，７１Ａ，７１Ｂへと湯が集り、これによりノズル本体５１内の湯を残さず、吐出口５２から注ぐことができる。更に、複数のノズル７１，７１Ａ，７１Ｂの吐出口５２，５２，５２は、前記中心Ｓからの距離が異なる位置に配置されると共に、前記回動中心Ｓに対して同じ角度で斜設されるから、ノズル本体５１が回転する状態で、複数のノズル７１，７１Ａ，７１Ｂから吐き出された湯が、ドリッパー８の中心Ｓから異なる位置に同心円状に落下するため、ドリッパー８に均一に湯を供給することができる。また、前記ノズル本体５１の湯受け空間７０の上部が開口し、この湯受け空間７０に湯供給筒部７４から湯を供給することで、前記ノズル７１の吐出口５２には送湯手段９の圧力が直接加わらないから、吐出口５２から湯をやさしく注ぐようにドリッパー８に供給することができる。
【００９６】
前記ガイド環７５が、前記周壁部７７の上端を湾曲状に形成した湾曲上端部７７Ｗを有し、この湾曲上端部７７Ｗに前記挿入鍔部６３が摺動すると共に、前記周壁部７７の摺動受部たる内周面７７Ｎに、前記ノズル本体５１の前記下周壁部６２の外面が部分的に摺動することにより、回転する前記ノズル本体５１を安定して支持することができる。また、前記ガイド環７５により、本体を構成する前記取付ベース５４に前記ノズル本体５１を装着する装着手段を備え、この装着手段が、前記取付ベース５４に対して前記ガイド環７５を回動して着脱する手段であるから、ガイド環７５の着脱作業が容易となる。更に、前記操作レバー８２を配置する操作用凹部８１を、本体を構成する取付ベース５４に設け、その操作用凹部８１に係合用の突起８３を設けたから、不用意にガイド環７５が外れることを防止できる。
【００９７】
また、本体たるケース本体２と、このケース本体２に取り付けられたミル１７と、このミル１７によって挽かれた豆を受ける抽出具としてのドリッパー８及びペーパーフィルター１０とを有するコーヒーメーカー１において、前記ケース本体２に導電材料からなる接触部材たる導電レバー２１が設けられ、前記ドリッパー８が導電材料により構成され、このドリッパー８が前記導電レバー２１に接触すると共に、前記ケース本体２に電荷を一時的に貯める貯電部材たる底板２２が設けられ、この底板２２が前記導電レバー２１と電気的に接続されるものであり、前記ミル１７によって挽かれて帯電したコーヒー粉が前記ペーパーフィルター１０に接触すると、前記コーヒー粉の電荷が前記ペーパーフィルター１０から前記ドリッパー８及び前記導電レバー２１を経て前記底板２２に移動した後、この底板２２から外部に自然放電される。この結果、コーヒー粉同士が反発し難くすることができるので、落下するコーヒー粉がドリッパー８から漏れ難くすることができる。また、前記ドリッパー８が導電性合成樹脂で構成されるものであり、抽出に適した形状のドリッパー８を容易に形成することができる。この場合、例えばドリッパー８の内部には、リブ部１１４が形成され、構造上の理由から、金属製の場合、プレスにしても鋳造にしても、製作が難しく、コストも高くなる。これに対して、抽出に適した形状のドリッパー８を樹脂成型により安価に製造することができる。また、接触部材たる前記導電レバー２１が、前記ドリッパー８の有無を検知する検知手段を兼ねるものであり、部品の増加を抑えながら、前記コーヒーメーカー１を正常に作動させることができる。
【００９８】
また、前記容器本体１４の底板部１０８に、この底板部１０８より径小なリング状の段差部１０９が下方に膨出形成され、この段差部１０９が遊嵌するリング状の内縁枠１１０が前記ヒーター１２の上面に突出形成され、載置状態で前記容器本体１４の段差部１０９が前記ヒーター１２側の内縁枠１１０に囲まれるから、前記加熱板１１に前記飲料サーバー１３を位置決め状態で載置することができ、この飲料サーバー１３に装着した前記ドリッパー８を、前記導電レバー２１により確実に検出することができる。また、前記ドリッパー８と前記庇部５の庇部底板５Ｋとの間に隙間１０５が設けられているから、前記ドリッパー８内のコーヒー粉に湯が注がれて膨らむ様子を見ることができる。更に、前記導電レバー２１が待機位置にある状態では、前記ミル１７，サーバー加熱手段たるヒーター１２及び送湯手段９が作動しないから、前記ドリッパー８及び飲料サーバー１３を装着しない状態での誤操作を防止できる。また、前記導電レバー２１は金属丸棒を略Ｕ字形に屈曲形成してなるから、構造簡易にして安価に製造できる。
【００９９】
更に、前記蓋体１６の装着受け部１０６に、前記ドリッパー８の下部の装着部１０７を遊嵌することにより、前記飲料サーバー１３に前記ドリッパー８を安定して装着することができる。また、前記底板２２を、前記ケース本体２を構成する合成樹脂より比重が大きいステンレス製とすることにより、前記底板２２が錘になるため、安定してコーヒーメーカー１を設置することができる。更に、前記底板部１１１の下面から下方に筒部１１６を突設し、この筒部１１６に透孔１１５が穿設されるから、前記筒部１１６によって前記透孔１１５を落下するコーヒー液が前記底板部１１１の下面に回り込むことなく、前記筒部１１６の下端から下方へ落下せしめることができる。
【０１００】
また、前記庇部５の庇部底板５Ｋに設けられた前記開口部１２４に、前記シール部材１３６を設けたから、前記開口部１２４に前記導電レバー２１を可動に設けながら、前記ケース本体２内への湯気や埃などの侵入を前記シール部材１３６により防止することができる。更に、前記ドリッパー８の装着状態で、このドリッパー８と庇部５との間に前記隙間１０５が設けられるから、前記加熱板１１上への前記飲料サーバー１３の出し入れを容易に行うことができる。また、接触部材たる前記導電レバー２１が断面円形の金属線材で構成されると共に、本体たる前記ケース本体２に対し可動に設けられるものであり、前記導電レバー２１を細い形状に形成することができ、この結果、前記導電レバー２１を設けるために前記ケース本体２に形成される隙間たる前記開口部１２４を狭くして、仮に前記シール部材１３６が無くても、前記ドリッパー８から前記ケース本体２内に入る湯気の量を少なくすることができる。
【０１０１】
なお、本発明は以上の実施例に限定されるものではなく、本発明の要旨の範囲内で種々の変実施が可能である。例えば、実施例では、ノズル本体に従動ギアを設け、この従動ギアと歯合する駆動ギアを電動機により回動してノズル本体を回動するようにしたが、ギアの歯合以外でも、ローラやベルトなどを用いて電動機の回転をノズル本体に伝達するようにしてもよい。また、ガイド環の装着には、螺子・バヨネットなどの他の回転式の取付構造を用いてもよく、回転式以外の装着構造でもよい。更に、上記実施例では、ドリッパーは飲料サーバーに載せられるが、ドリッパーを本体に取り付けてもよく、例えば、ドリッパーを収納ケース内に収納し、この収納ケースの左右方向一側を縦方向の枢軸により本体に回動可能に取り付け、前記収納ケースを前記ドリッパーと共に回動することにより、前記本体に対して出没自在に設けても良い。また、上記実施例では、ミルは臼式のものを示したが、ブレード式のミルであっても良い。更に、上記実施例では、導電レバーが待機位置にある状態では、ミル，サーバー加熱手段たるヒーター及び送湯手段が作動しないようにしたが、装置全体が作動しないようにしても良い。また、ノズル本体には複数（３個）の吐出口を設けたが、吐出口の数は２個や４個以上でもよい。更に、例えば実施例で示した排出口たる落下口の下方に斜めの筒部を設け、この筒部からコーヒー粉が抽出具に落下する場合などには、排出口の下方であって、コーヒー粉が落下する筒部の真下に分散手段を設ければよい。
【符号の説明】
【０１０２】
１  コーヒーメーカー
２  ケース本体（本体）
８  ドリッパー（抽出具）
１３  飲料サーバー
１７  ミル
１８  湯供給部（ノズル体）
３２  落下口（排出口）
５１  ノズル本体
５２  吐出口
５３  モーター（電動機）
５４  取付ベース（本体）
７５  ガイド環
１０１  分散手段
Ｓ  中心
【図１】
2020058404.tif 000003
【図２】
2020058404.tif 000004
【図３】
2020058404.tif 000005
【図４】
2020058404.tif 000006
【図５】
2020058404.tif 000007
【図６】
2020058404.tif 000008
【図７】
2020058404.tif 000009
【図８】
2020058404.tif 000010
【図９】
2020058404.tif 000011
【図１０】
2020058404.tif 000012
【図１１】
2020058404.tif 000013